(57)【要約】【課題】  温度が高くなる像担持体に付着する付着物を除去すること。【解決手段】  ＭＦＰは、トナーで構成されるトナー像を担持する複数の感光体ドラムと、複数の感光体ドラムそれぞれに対して設けられ、例えば、感光体ドラム２３Ｙにより担持されたトナー像が転写された後に感光体ドラム２３Ｙに滑剤を塗布するとともに感光体ドラムを研磨するクリーニング装置２７Ｙと、を備え、複数の感光体ドラムのうち温度が最も高くなる感光体ドラムに対するクリーニング装置による研磨効率が他の感光体ドラムに対するクリーニング装置による研磨効率よりも大きい。【選択図】        図４
2020154126.tif 000002
【特許請求の範囲】
【請求項１】
トナーで構成されるトナー像を担持する像担持体の複数を備えた画像形成装置であって、
複数の前記像担持体それぞれに対して設けられ、前記像担持体により担持された前記トナー像が転写された後に前記像担持体に滑剤を塗布するとともに前記像担持体を研磨する清掃手段と、を備え、
複数の前記像担持体のうち温度が最も高くなる特定像担持体に対する前記清掃手段による研磨効率が前記特定像担持体とは別の前記像担持体である通常像担持体に対する前記清掃手段による研磨効率よりも大きい、画像形成装置。
【請求項２】
前記特定像担持体とそれに対応する前記清掃手段との周速差が、前記通常像担持体とそれに対応する前記清掃手段との周速差よりも大きい、請求項１に記載の画像形成装置。
【請求項３】
前記通常像担持体の周速とそれに対応する前記清掃手段の周速とは対抗する周面において同一方向であり、前記特定像担持体の周速とそれに対応する前記清掃手段の周速とは対抗する周面において逆方向である、請求項２に記載の画像形成装置。
【請求項４】
前記特定像担持体の周辺の温度に基づいて、前記特定像担持体に対応する前記清掃手段の単位時間当たりの回転数を決定する制御手段を、さらに備えた請求項３に記載の画像形成装置。
【請求項５】
前記特定像担持体に対応する前記清掃手段の単位時間当たりの回転数が、前記通常像担持体に対応する前記清掃手段の単位時間当たりの回転数よりも大きくなるように制御する制御手段を、さらに備えた請求項２に記載の画像形成装置。
【請求項６】
前記制御手段は、画像を形成しない非稼働期間に前記特定像担持体とそれに対応する前記清掃手段とを回転させる、請求項４または５に記載の画像形成装置。
【請求項７】
画像を形成しない非稼働期間に前記特定像担持体とそれに対応する前記清掃手段とを回転させる制御手段を、さらに備えた請求項２または３に記載の画像形成装置。
【請求項８】
前記特定像担持体の周辺の温度が前記通常像担持体の周辺の温度より高いほど前記特定像担持体に対応する前記清掃手段の周速差は大きい、請求項２〜７のいずれかに記載の画像形成装置。
【請求項９】
前記特定像担持体に対応する前記清掃手段と前記特定像担持体との間の押圧力は前記通常像担持体に対応する前記清掃手段と前記通常像担持体との間の押圧力よりも大きい、請求項１〜８のいずれかに記載の画像形成装置。
【請求項１０】
前記特定像担持体に対応する前記清掃手段は直毛ブラシを含み、前記通常像担持体に対応する前記清掃手段はループブラシを含む、請求項１〜９のいずれかに記載の画像形成装置。
【請求項１１】
前記特定像担持体に対応する前記清掃手段は複数である、請求項１〜１０のいずれかに記載の画像形成装置。
【請求項１２】
前記特定像担持体に研磨剤を供給する現像手段を、さらに備えた請求項１〜１１のいずれかに記載の画像形成装置。
【請求項１３】
トナーを記録媒体に熱で定着させる定着手段を、さらに備え、
前記特定担持体は、他のいずれの前記像担持体よりも前記定着手段に近い、請求項１〜１２のいずれかに記載の画像形成装置。
【請求項１４】
画像形成装置で実行される清掃方法であって、
前記画像形成装置は、トナーで構成されるトナー像を担持する像担持体の複数と、
複数の前記像担持体それぞれに対して設けられ、前記像担持体により担持された前記トナー像が転写された後に前記像担持体に滑剤を塗布するとともに前記像担持体を研磨する清掃手段と、を備え、
複数の前記像担持体のうち温度が最も高くなる特定像担持体の周速とそれに対応する前記清掃手段の周速とは対抗する周面において逆方向であり、前記特定像担持体とは別の通常像担持体の周速とそれに対応する前記清掃手段の周速とは対抗する周面において同一方向であり、
前記特定像担持体の周辺の温度を検出する検出ステップと、
前記検出ステップにおいて検出された温度に基づいて、前記特定像担持体に対応する前記清掃手段の単位時間当たりの回転数を決定する制御ステップと、を含む清掃方法。
【請求項１５】
画像形成装置を制御するコンピューターで実行される清掃プログラムであって、
前記画像形成装置は、トナーで構成されるトナー像を担持する像担持体の複数と、
複数の前記像担持体それぞれに対して設けられ、前記像担持体により担持された前記トナー像が転写された後に前記像担持体に滑剤を塗布するとともに前記像担持体を研磨する清掃手段と、を備え、
複数の前記像担持体のうち温度が最も高くなる特定像担持体の周速とそれに対応する前記清掃手段の周速とは対抗する周面において逆方向であり、前記特定像担持体とは別の通常像担持体の周速とそれに対応する前記清掃手段の周速とは対抗する周面において同一方向であり、
前記特定像担持体の周辺の温度を検出する検出ステップと、
前記検出ステップにおいて検出された温度に基づいて、前記特定像担持体に対応する前記清掃手段の単位時間当たりの回転数を決定する制御ステップと、を前記コンピューターに実行させる清掃プログラム。
【発明の詳細な説明】
【技術分野】
【０００１】
この発明は、画像形成装置、清掃方法および清掃プログラムに関し、特に、トナーを用いて画像を形成する画像形成装置、その画像形成装置で実行される清掃方法およびコンピューターにその清掃方法を実行させる清掃プログラムに関する。
【背景技術】
【０００２】
ＭＦＰ（Ｍｕｌｔｉ  Ｆｕｎｃｔｉｏｎ  Ｐｅｒｉｐｈｅｒａｌ）で代表される画像形成装置は、トナー像を感光体ドラム等の像担持体に形成し、像担持体から用紙等の記録媒体にトナー像を転写することにより用紙に画像を形成する。像担持体から記録媒体にトナー像を転写する際に、像担持体に形成されたトナー像を構成するトナーのすべてが転写されずに像担持体に残存する。また、トナーは添加物として外添剤が添加されているため、像担持体にトナーの外添剤が付着物として付着する場合がある。このため、ＭＦＰは、像担持体を清掃するクリーニング装置を備えている。クリーニング装置はブラシを有し、ブラシで像担持体に残存するトナーを除去するとともに像担持体の表面を研磨してトナー外添剤等の付着物を除去する。また、クリーニング装置は、像担持体の長寿命化のためブラシで固形滑材を削り取り、ブラシで潤滑剤を像担持体に塗布する。
【０００３】
例えば、特開２００７−２９２９９６号公報には、像担持体と、前記像担持体へ潤潤滑剤を塗布するための潤潤滑剤塗布手段と、前記像担持体の表面に潜像を形成する帯電手段と、を備え、像担持体線速が可変である画像形成装置において、前記潤潤滑剤塗布手段が、回転体であり、前記像担持体線速が速い場合、前記回転体の線速を遅くすることを特徴とする画像形成装置が記載されている。
【０００４】
しかしながら、所定の温度以上になると、トナーまたはトナー外添剤が像担持体に塗布された潤滑剤と相まって凝集し、像担持体に付着物が付着し易くなる。特開２００７−２９２９９６号公報に記載の画像形成装置は、像担持体に塗布される潤潤滑剤を一定にすることができるが、像担持体と回転体との相対速度が変化しないので、所定の温度以上において、像担持体に付着した付着物を除去することができない場合があるといった問題がある。
【先行技術文献】
【特許文献】
【０００５】
【特許文献１】特開２００７−２９２９９６号公報
【発明の概要】
【発明が解決しようとする課題】
【０００６】
この発明は上述した問題点を解決するためになされたもので、この発明の目的の一つは、温度が高くなる像担持体に付着する付着物を除去することが可能な画像形成装置を提供することである。
【０００７】
この発明の他の目的は、温度が高くなる像担持体に付着する付着物を効率的に除去することが可能な清掃方法を提供することである。
【０００８】
この発明のさらに他の目的は、温度が高くなる像担持体に付着する付着物を効率的に除去することが可能な清掃プログラムを提供することである。
【課題を解決するための手段】
【０００９】
上述した目的を達成するために、この発明のある局面によれば、画像形成装置は、トナーで構成されるトナー像を担持する像担持体の複数を備えた画像形成装置であって、複数の像担持体それぞれに対して設けられ、像担持体により担持されたトナー像が転写された後に像担持体に滑剤を塗布するとともに像担持体を研磨する清掃手段と、を備え、複数の像担持体のうち温度が最も高くなる特定像担持体に対する清掃手段による研磨効率が特定像担持体とは別の像担持体である通常像担持体に対する清掃手段による研磨効率よりも大きい。
【００１０】
この局面に従えば、温度が最も高くなる特定像担持体に対する研磨効率が通常像担持体に対する研磨効率よりも大きいので、温度が高くなる像担持体に付着する付着物を除去することが可能な画像形成装置を提供することができる。
【００１１】
好ましくは、特定像担持体とそれに対応する清掃手段との周速差が、通常像担持体とそれに対応する清掃手段との周速差よりも大きい。
【００１２】
この局面に従えば、特定像担持体に対する研磨効率を通常像担持体に対する研磨効率よりも大きくすることができる。
【００１３】
好ましくは、通常像担持体の周速とそれに対応する清掃手段の周速とは対抗する周面において同一方向であり、特定像担持体の周速とそれに対応する清掃手段の周速とは対抗する周面において逆方向である。
【００１４】
この局面に従えば、特定像担持体に対応する清掃手段の単位時間当たりの回転数を高くすることなく、特定像担持体に対応する周速差を、通常像担持体に対応する周速差よりも大きくすることができる。
【００１５】
好ましくは、特定像担持体の周辺の温度に基づいて、特定担持体に対応する清掃手段の単位時間当たりの回転数を決定する制御手段を、さらに備える。
【００１６】
この局面に従えば、特定像担持体の周辺の温度に基づいて、特定像担持体に対応する清掃手段の単位時間当たりの回転数が決定されるので、特定像担持体に塗布される滑剤の量を温度に応じた適切な量にすることができる。
【００１７】
好ましくは、特定像担持体に対応する清掃手段の単位時間当たりの回転数が、通常像担持体に対応する清掃手段の単位時間当たりの回転数よりも大きくなるように制御する制御手段を、さらに備える。
【００１８】
この局面に従えば、特定像担持体に対応する周速差を、通常像担持体に対応する周速差よりも大きくすることができる。
【００１９】
好ましくは、制御手段は、画像を形成しない非稼働期間に特定像担持体とそれに対応する清掃手段とを回転させる。
【００２０】
この局面に従えば、特定像担持体に対する研磨時間を通常像担持体に対する研磨時間よりも長くすることができる。
【００２１】
好ましくは、特定像担持体の周辺の温度が通常像担持体の周辺の温度より高いほど特定像担持体に対応する清掃手段の周速差は大きい。
【００２２】
この局面に従えば、温度が高いほど特定像担持体に対する研磨効率を向上させることができる。
【００２３】
好ましくは、特定像担持体に対応する清掃手段と特定像担持体との間の押圧力は通常像担持体に対応する清掃手段と通常像担持体との間の押圧力よりも大きい。
【００２４】
この局面に従えば、特定像担持体に対する研磨効率を通常像担持体に対する研磨効率よりも大きくすることができる。
【００２５】
好ましくは、特定像担持体に対応する清掃手段は直毛ブラシを含み、通常像担持体に対応する清掃手段はループブラシを含む。
【００２６】
この局面に従えば、特定像担持体に対する研磨効率を通常像担持体に対する研磨効率よりも大きくすることができる。
【００２７】
好ましくは、特定像担持体に対応する清掃手段は複数である。
【００２８】
この局面に従えば、特定像担持体に対する研磨効率を通常像担持体に対する研磨効率よりも大きくすることができる。
【００２９】
好ましくは、特定像担持体に研磨剤を供給する現像手段を、さらに備える。
【００３０】
この局面に従えば、特定像担持体に対する研磨効率を通常像担持体に対する研磨効率よりも大きくすることができる。
【００３１】
好ましくは、トナーを記録媒体に熱で定着させる定着手段を、さらに備え、特定担持体は、他のいずれの像担持体よりも定着手段に近い。
【００３２】
このため、定着手段に近いほど温度が高くなるので、定着手段に最も近い像担持体に対する研磨効率を他の像担持体に対する研磨効率よりも大きくすることができる。
【００３３】
この発明の他の局面によれば、清掃方法は、画像形成装置で実行される清掃方法であって、画像形成装置は、トナーで構成されるトナー像を担持する像担持体の複数と、複数の像担持体それぞれに対して設けられ、像担持体により担持されたトナー像が転写された後に像担持体に滑剤を塗布するとともに像担持体を研磨する清掃手段と、を備え、複数の像担持体のうち温度が最も高くなる特定像担持体の周速とそれに対応する清掃手段の周速とは対抗する周面において逆方向であり、特定像担持体とは別の通常像担持体の周速とそれに対応する清掃手段の周速とは対抗する周面において同一方向であり、特定像担持体の周辺の温度を検出する検出ステップと、検出ステップにおいて検出された温度に基づいて、特定像担持体に対応する清掃手段の単位時間当たりの回転数を決定する制御ステップと、を含む。
【００３４】
この局面に従えば、特定像担持体に対応する清掃手段の単位時間当たりの回転数を高くすることなく、特定像担持体に対応する周速差を、通常像担持体に対応する周速差よりも大きくすることができる。また、特定像担持体の周辺の温度に基づいて、特定像担持体に対応する清掃手段の単位時間当たりの回転数が決定されるので、特定像担持体に塗布される滑剤の量を温度に応じた適切な量にすることができる。その結果、温度が高くなる像担持体に付着する付着物を効率的に除去することが可能な清掃方法を提供することができる。
【００３５】
この発明の他の局面によれば、清掃プログラムは、画像形成装置を制御するコンピューターで実行される清掃プログラムであって、画像形成装置は、トナーで構成されるトナー像を担持する像担持体の複数と、複数の像担持体それぞれに対して設けられ、像担持体により担持されたトナー像が転写された後に像担持体に滑剤を塗布するとともに像担持体を研磨する清掃手段と、を備え、複数の像担持体のうち温度が最も高くなる特定像担持体の周速とそれに対応する清掃手段の周速とは対抗する周面において逆方向であり、特定像担持体とは別の通常像担持体の周速とそれに対応する清掃手段の周速とは対抗する周面において同一方向であり、特定像担持体の周辺の温度を検出する検出ステップと、検出ステップにおいて検出された温度に基づいて、特定像担持体に対応する清掃手段の単位時間当たりの回転数を決定する制御ステップと、をコンピューターに実行させる。
【００３６】
この局面に従えば、温度が高くなる像担持体に付着する付着物を効率的に除去することが可能な清掃プログラムを提供することができる。
【図面の簡単な説明】
【００３７】
【図１】本発明の実施の形態の１つにおけるＭＦＰの外観を示す斜視図である。
【図２】ＭＦＰの内部構成の概要を示す図である。
【図３】画像形成ユニットの一例を示す図である。
【図４】クリーニング装置の拡大図である。
【図５】ＭＦＰのハードウェア構成の概要を示すブロック図である。
【図６】付着物の面積率とノイズの面積率とを計測した実験結果の一例を示す図である。
【図７】温度とノイズの面積率とを計測した実験結果の一例を示す図である。
【図８】回転ブラシおよび感光体ドラムそれぞれの単位時間当たりの回転数と周速差との関係を示す図である。
【図９】温度ごとにノイズが発生しない周速差の下限値を示す図である。
【図１０】画像形成制御処理の流れの一例を示すフローチャートである。
【図１１】画像形成ユニットの駆動時間を示す図である。
【図１２】食い込み量と押圧力との関係を示す図である。
【図１３】食い込み量とブラシの擦過力との関係を示す図である。
【図１４】直毛ブラシおよびループブラシごとの研磨効果を示す図である。
【図１５】シリカを増加する前後の研磨効果の一例を示す図である。
【発明を実施するための形態】
【００３８】
以下、本発明の実施の形態における画像形成装置について図面を参照して説明する。以下の説明では同一の部品には同一の符号を付してある。それらの名称および機能も同じである。したがってそれらについての詳細な説明は繰返さない。
【００３９】
図１は、本発明の実施の形態の１つにおけるＭＦＰの外観を示す斜視図である。図２は、ＭＦＰの内部構成の概要を示す図である。図１および図２を参照して、ＭＦＰ１００は、画像形成装置として機能し、画像データに基づいて記録媒体に画像を形成する。ＭＦＰ１００は、画像を形成する対象となる記録媒体として、複数種類の記録媒体のいずれにも画像を形成することが可能である。記録媒体は、紙などの用紙の他、ＯＨＰ（Ｏｖｅｒｈｅａｄ  ｐｒｏｊｅｃｔｏｒ）シート、布等を含む。また、以下の説明では、特に言及しない限り、記録媒体を用紙とする場合を例に説明する。
【００４０】
ＭＦＰ１００は、原稿を読み取る原稿読取部１３０と原稿読取部１３０に原稿を搬送する自動原稿搬送装置１２０と、画像データに基づいて用紙に画像を形成する画像形成部１４０と、画像形成部１４０に用紙を供給する給紙部１５０と、を含む。
【００４１】
原稿読取部１３０は、原稿を光学的に読み取って、光電変換して得られる画像データを画像形成部１４０に出力する。光電変換素子として、ＣＣＤ（Ｃｈａｒｇｅ  Ｃｏｕｐｌｅｄ  Ｄｅｖｉｃｅｓ）センサーが用いられる。ＣＣＤセンサーに結像した光は、ＣＣＤセンサーで電気信号としての画像データに変換される。画像データは、シアン（Ｃ）、マゼンタ（Ｍ）、イエロー（Ｙ）、ブラック（Ｋ）の印字用データに変換されて、画像形成部１４０に出力される。
【００４２】
画像形成部１４０は、イエロー、マゼンタ、シアンおよびブラックそれぞれの画像形成ユニット２０Ｙ，２０Ｍ，２０Ｃ，２０Ｋを備える。ここで、“Ｙ”、“Ｍ”、“Ｃ”および“Ｋ”は、それぞれイエロー、マゼンタ、シアンおよびブラックを表す。画像形成ユニット２０Ｋの近傍に、温度を検出する温度センサー１１９が配置される。なお、温度センサー１１９は、画像形成ユニット２０Ｋ近傍の温度を検出できれば、画像形成ユニット２０Ｋが配置される位置は限定されない。
【００４３】
画像形成ユニット２０Ｙ，２０Ｍ，２０Ｃ，２０Ｋの少なくとも１つが駆動されることにより、画像が形成される。画像形成ユニット２０Ｙ，２０Ｍ，２０Ｃ，２０Ｋのすべてが駆動されると、フルカラーの画像が形成される。画像形成ユニット２０Ｙ，２０Ｍ，２０Ｃ，２０Ｋには、イエロー、マゼンタ、シアンおよびブラックの印字用データがそれぞれ入力される。画像形成ユニット２０Ｙ，２０Ｍ，２０Ｃ，２０Ｋは、取扱うトナーの色彩が異なるのみなので、ここでは、イエローの画像を形成するための画像形成ユニット２０Ｙについて説明する。
【００４４】
中間転写ベルト３０は、駆動ローラー３３と従動ローラー３４とにより弛まないように懸架されている。駆動ローラー３３が図２中で時計回りに回転すると、中間転写ベルト３０が所定の速度で図中時計回りに回転する。中間転写ベルト３０の回転に伴って、従動ローラー３４が、時計回りに回転する。
【００４５】
これにより、画像形成ユニット２０Ｙ，２０Ｍ，２０Ｃ，２０Ｋが、順に中間転写ベルト３０上にトナー像を転写する。画像形成ユニット２０Ｙ，２０Ｍ，２０Ｃ，２０Ｋそれぞれが、中間転写ベルト３０上にトナー像を転写するタイミングは、中間転写ベルト３０に付された基準マークを検出することにより、調整される。これにより、イエロー、マゼンタ、シアンおよびブラックのトナー像が中間転写ベルト３０上に重畳される。
【００４６】
なお、ここでは、ＭＦＰ１００は、用紙に４色のトナーそれぞれを形成する画像形成ユニット２０Ｙ，２０Ｍ，２０Ｃ，２０Ｋを備えたタンデム方式を採用する例について説明するが、１つの感光体ドラムで４色のトナーを順に用紙に転写する４サイクル方式を採用してもよい。
【００４７】
中間転写ベルト３０に形成されたトナー像は、転写部材である２次転写ローラー２６によって電界力の作用で用紙に転写される。用紙は、タイミングローラー３１により搬送され、中間転写ベルト３０と２次転写ローラー２６とが接するニップ部に搬送される。トナー像が転写された用紙は、定着ローラー３２に搬送され、定着ローラー３２により加熱および加圧される。これにより、トナーが溶かされて用紙に定着する。その後、用紙は搬送ローラー４５により、排紙トレイに排紙される。画像形成ユニット２０Ｙ，２０Ｍ，２０Ｃ，２０Ｋのうち画像形成ユニット２０Ｋが定着ローラー３２に最も近い。このため、画像形成ユニット２０Ｋは、画像形成ユニット２０Ｙ，２０Ｍ，２０Ｃ，２０Ｋのうちで最も温度が高くなる。
【００４８】
給紙カセット３５，３５Ａには、それぞれサイズの異なる用紙がセットされている。給紙カセット３５，３５Ａそれぞれに収容された用紙は、給紙カセット３５，３５Ａにそれぞれ取付けられている取出ローラー３６，３６Ａにより、搬送経路３８へ供給され、給紙ローラー３７によりタイミングローラー３１へ送られる。
【００４９】
また、給紙カセット３５，３５Ａの上側で画像形成部１４０の下側の空間に反転搬送経路３９が設けられる。反転搬送経路３９は、搬送経路３８において定着ローラー３２の下流側に位置する切換ゲート４０を介して搬送経路３８から分岐し、搬送経路３８のタイミングローラー３１の上流側で搬送経路３８に合流する。反転搬送経路３９は、用紙の表裏を反転してタイミングローラー３１に用紙を搬送する反転ローラー４１および反転用搬送ローラー４２が設けられている。これにより、画像形成部１４０は、用紙の両面に画像を形成することができる。
【００５０】
図３は、画像形成ユニットの一例を示す図である。図３を参照して、画像形成ユニット２０Ｙは、イエローの印字用データが入力される露光装置２１Ｙと、像担持体である感光体ドラム２３Ｙと、感光体ドラム２３Ｙの表面を一様に帯電するための帯電ローラー２２Ｙと、現像装置２４Ｙと、感光体ドラム２３Ｙ上に形成されたトナー像を電界力の作用で像担持体である中間転写ベルト３０上に転写するための１次転写ローラー２５Ｙと、感光体ドラム２３Ｙ上の転写残トナーを除去するためのクリーニング装置２７Ｙと、を備える。
【００５１】
感光体ドラム２３Ｙの周辺に、帯電ローラー２２Ｙ、露光装置２１Ｙ、現像装置２４Ｙ、１次転写ローラー２５Ｙ、クリーニング装置２７Ｙが、感光体ドラム２３Ｙの回転方向に沿って順に配置される。感光体ドラム２３Ｙは、例えばドラム状の金属基体の外周面に、有機光導電体を含有させた樹脂よりなる感光層が形成された有機感光体よりなる。感光層を構成する樹脂として、例えばポリカーボネート樹脂、シリコーン樹脂、ポリスチレン樹脂、アクリル樹脂、メタクリル樹脂、エポキシ樹脂、ポリウレタン樹脂、塩化ビニル樹脂、メラミン樹脂等が挙げられる。
【００５２】
感光体ドラム２３Ｙは、帯電ローラー２２Ｙによって帯電された後、露光装置２１Ｙが発光するレーザー光が照射される。露光装置２１Ｙは、感光体ドラム２３Ｙの表面の画像対応部を露光して静電潜像を形成する。これにより、感光体ドラム２３Ｙに静電潜像が形成される。続いて、現像装置２４Ｙが、感光体ドラム２３Ｙに形成された静電潜像を帯電したトナーで現像する。具体的には、感光体ドラム２３Ｙに形成された静電潜像上に電界力の作用でトナーが載せられることにより、トナー像が感光体ドラム２３Ｙに形成される。感光体ドラム２３Ｙ上に形成されたトナー像は、像担持体である中間転写ベルト３０上に１次転写ローラー２５Ｙにより電界力の作用で転写される。感光体ドラム２３Ｙ上で転写されずに残ったトナーは、クリーニング装置２７Ｙにより感光体ドラム２３Ｙから除去される。
【００５３】
図４は、クリーニング装置の拡大図である。図４を参照して、クリーニング装置２７Ｙは、弾性体よりなる平板状のクリーニングブレード２０１Ｙと、回転ブラシ２０３Ｙと、固形潤滑剤２０７Ｙと、回収板２０９Ｙと、弾性体よりなる平板状の均しブレード２０５Ｙと、含む。クリーニングブレード２０１Ｙと均しブレード２０５Ｙとの間に回転ブラシ２０３Ｙが配設されている。
【００５４】
感光体ドラム２３Ｙの周辺に、クリーニングブレード２０１Ｙ、回転ブラシ２０３Ｙ、均しブレード２０５Ｙが、感光体ドラム２３Ｙの回転方向に沿って順に配置される。クリーニングブレード２０１Ｙは、感光体ドラム２３Ｙに残存するトナーを回収する。
【００５５】
回転ブラシ２０３Ｙは、回転軸の表面にブラシが配置される。回転ブラシ２０３Ｙは、その回転軸が感光体ドラム２３Ｙの回転軸と平行で、ブラシが感光体ドラム２３Ｙと接するように位置決めされる。回転ブラシ２０３Ｙは、感光体ドラム２３Ｙと接する側とは反対側で固形潤滑剤２０７Ｙと接する。固形潤滑剤２０７Ｙは、棒状に成型されており、図示しないばねによって回転ブラシ２０３Ｙに向かって付勢される。固形潤滑剤２０７Ｙは、本実施の形態においてはステアリン酸亜鉛を用いている。固形潤滑剤２０７Ｙの材料としては特に限定されるものではなく、脂肪酸金属塩、シリコーンオイル、フッ素系樹脂等が挙げられ、これらは単独または２種類以上を混合して用いることができる。
【００５６】
回転ブラシ２０３Ｙの回転方向において感光体ドラム２３Ｙと接する部分の下流方向で、固形潤滑剤２０７Ｙと接する部分の上流方向に回収板２０９Ｙが配置される。回収板２０９Ｙは、ブラシと接する位置に配置される。
【００５７】
回転ブラシ２０３Ｙは、感光体ドラム２３Ｙと周速が同方向になるように回転する。ブラシは、固形潤滑剤２０７Ｙから潤滑剤を削り取って感光体ドラム２３Ｙの表面に供給する。また、感光体ドラム２３Ｙの表面には、クリーニングブレード２０１Ｙにより回収されずにトナーが残る場合がある。このため、回転ブラシ２０３Ｙは、感光体ドラム２３Ｙの表面と接触する間に感光体ドラム２３Ｙに潤滑剤を供給するとともに、感光体ドラム２３Ｙの表面に残ったトナーを回収する。ブラシは、トナーを回収した後に回収板２０９Ｙを擦る際に、ブラシに付着したトナーが回収板２０９Ｙによって回収される。なお、回転ブラシ２０３Ｙはブラシに限定されるものではなく、例を挙げればスポンジでもよい。均しブレード２０５Ｙは、感光体ドラム２３Ｙに回転ブラシ２０３Ｙにより塗布された潤滑剤を均す。
【００５８】
なお、本実施の形態においては、クリーニング装置２７Ｙが回収板２０９Ｙを備える例を説明したが、回収板２０９Ｙは備えなくてもよい。この場合には、回収板２０９Ｙは不要である。
【００５９】
図５は、ＭＦＰのハードウェア構成の概要を示すブロック図である。図５を参照して、ＭＦＰ１００は、メイン回路１１０を備える。メイン回路１１０は、自動原稿搬送装置１２０と、原稿読取部１３０と、画像形成部１４０と、給紙部１５０と、ユーザーインターフェースとしての操作パネル１６０と、接続される。
【００６０】
メイン回路１１０は、ＣＰＵ１１１と、通信インターフェース（Ｉ／Ｆ）部１１２と、ＲＯＭ１１３と、ＲＡＭ１１４と、大容量記憶装置としてのハードディスクドライブ（ＨＤＤ）１１５と、ファクシミリ部１１６と、ＣＤ−ＲＯＭ（Ｃｏｍｐａｃｔ  Ｄｉｓｋ  ＲＯＭ）１１８Ａが装着される外部記憶装置１１８と、を含む。ＣＰＵ１１１は、自動原稿搬送装置１２０、原稿読取部１３０、画像形成部１４０、給紙部１５０および操作パネル１６０と接続され、ＭＦＰ１００の全体を制御する制御手段である。
【００６１】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。さらに、ＲＡＭ１１４は、原稿読取部１３０から連続的に送られてくる画像データを一時的に記憶する。
【００６２】
通信Ｉ／Ｆ部１１２は、ＭＦＰ１００をネットワークに接続するためのインターフェースである。ＣＰＵ１１１は、通信Ｉ／Ｆ部１１２を介して、ネットワークに接続されたコンピューターとの間で通信し、データを送受信する。また、通信Ｉ／Ｆ部１１２は、ネットワークを介してインターネットに接続されたコンピューターと通信が可能である。
【００６３】
ファクシミリ部１１６は、公衆交換電話網（ＰＳＴＮ）に接続され、ＰＳＴＮにファクシミリデータを送信する、またはＰＳＴＮからファクシミリデータを受信する。ファクシミリ部１１６は、受信したファクシミリデータを、ＨＤＤ１１５に記憶する、または画像形成部１４０に出力する。画像形成部１４０は、ファクシミリ部１１６により受信されたファクシミリデータを用紙にプリントする。また、ファクシミリ部１１６は、ＨＤＤ１１５に記憶されたデータをファクシミリデータに変換して、ＰＳＴＮに接続されたファクシミリ装置に送信する。
【００６４】
外部記憶装置１１８は、ＣＰＵ１１１により制御され、ＣＤ−ＲＯＭ１１８Ａ、または半導体メモリが装着される。本実施の形態においては、ＣＰＵ１１１は、ＲＯＭ１１３に記憶されたプログラムを実行する例を説明するが、ＣＰＵ１１１は、外部記憶装置１１８を制御して、ＣＤ−ＲＯＭ１１８ＡからＣＰＵ１１１が実行するためのプログラムを読出し、読み出したプログラムをＲＡＭ１１４に記憶し、実行するようにしてもよい。
【００６５】
なお、ＣＰＵ１１１が実行するためのプログラムを記憶する記録媒体としては、ＣＤ−ＲＯＭ１１８Ａに限られず、フレキシブルディスク、カセットテープ、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）などの半導体メモリ等の媒体でもよい。さらに、ＣＰＵ１１１がネットワークに接続されたコンピューターからプログラムをダウンロードしてＨＤＤ１１５に記憶する、または、ネットワークに接続されたコンピューターがプログラムをＨＤＤ１１５に書込みするようにして、ＨＤＤ１１５に記憶されたプログラムをＲＡＭ１１４にロードしてＣＰＵ１１１で実行するようにしてもよい。ここでいうプログラムは、ＣＰＵ１１１により直接実行可能なプログラムだけでなく、ソースプログラム、圧縮処理されたプログラム、暗号化されたプログラム等を含む。
【００６６】
操作パネル１６０は、ＭＦＰ１００の上面に設けられ、表示部１６１と操作部１６３とを含む。表示部１６１は、例えば、液晶表示装置（ＬＣＤ）または有機ＬＥ（ｅｌｅｃｔｒｏｌｕｍｉｎｅｓｃｅｎｃｅ）ディスプレイであり、ユーザーに対する指示メニューや取得した画像データに関する情報等を表示する。操作部１６３は、タッチパネル１６５と、ハードキー部１６７とを含む。タッチパネル１６５は、表示部１６１の上面または下面に表示部１６１に重畳して設けられる。ハードキー部１６７は、複数のハードキーを含む。ハードキーは、例えば接点スイッチである。タッチパネル１６５は、表示部１６１の表示面中でユーザーにより指示された位置を検出する。
【００６７】
図６は、付着物の面積率とノイズの面積率とを計測した実験結果の一例を示す図である。付着物の面積率は、感光体ドラム２３Ｙの表面積に占める付着物の面積の割合である。ノイズの面積率は、用紙に占めるノイズの画像の面積の割合である。図６を参照して、付着物の面積率が大きいほど、ノイズの面積率が大きい。
【００６８】
図７は、温度とノイズの面積率とを計測した実験結果の一例を示す図である。図７を参照して、温度が高いほどノイズの面積率が大きい。温度が高いほど、トナーまたはトナー外添剤が像担持体に塗布された潤滑剤と相まって凝集し、像担持体に付着物が付着し易くなると考えられる。
【００６９】
図８は、回転ブラシおよび感光体ドラムそれぞれの単位時間当たりの回転数と周速差との関係を示す図である。横軸は、回転ブラシ２０３Ｙの単位時間当たりの回転数を感光体ドラム２３Ｙの単位時間当たりの回転数で除算した値を示す。縦軸は、周速差を示す。実線は、回転ブラシ２０３Ｙの周速と感光体ドラム２３Ｙの周速とが対抗する周面において同一方向のウィズ回転とした場合のグラフを示す。一点鎖線は、回転ブラシ２０３Ｙの周速と感光体ドラム２３Ｙの周速とが対抗する周面において逆方向のカウンタ回転とした場合のグラフを示す。カウンタ回転の場合は、回転ブラシ２０３Ｙの回転数が小さくても、ウィズ回転の場合の周速差よりも大きな周速差とすることができる。ここでは、感光体ドラム２３Ｙを周速が３５０ｍｍ／ｓとなる回転数で回転させる場合を例に示している。回転ブラシ２０３Ｙをウィズ回転させた場合、感光体ドラム２３Ｙの回転数の２倍の回転数で回転ブラシ２０３Ｙを回転させると、周速差が３５０ｍ／ｓとなる。また、回転ブラシ２０３Ｙをカウンタ回転させる場合、感光体ドラム２３Ｙの回転数の０．５倍の回転数で回転ブラシ２０３Ｙを回転させると、周速差が５２５ｍ／ｓとなる。このため、回転ブラシ２０３Ｙをカウンタ回転させる場合はウィズ回転させる場合よりも少ない回転数で、大きな周速差となる。
【００７０】
感光体ドラム２３Ｙ，２３Ｍ，２３Ｃ，２３Ｋのうち最も温度が高くなる像担持体を特定担持体といい、特定担持体以外の像担持体を通常担持体という。本実施の形態におけるＭＦＰ１００は、クリーニング装置２７Ｋおよび感光体ドラム２３Ｋは、定着ローラー３２に最も近いので、他のクリーニング装置２７Ｙ，２７Ｍ，２７Ｃおよび感光体ドラム２３Ｙ，２３Ｍ，２３Ｃよりも温度が高くなり、感光体ドラム２３Ｋが最も温度が高くなる。このため、本実施の形態においては、定着ローラー３２に最も近い感光体ドラム２３Ｋが特定像担持体であり、他の感光体ドラム２３Ｃ，２３Ｍ，２３Ｙが通常像担持体である。
【００７１】
そこで、通常像担持体に対応するクリーニング装置２７Ｙ，２７Ｍ，２７Ｃにおいて、それぞれの回転ブラシ２０３Ｙ，２０３Ｍ，２０３Ｃがウィズ回転とされ、特定像担持体に対応するクリーニング装置２７Ｋの回転ブラシ２０３Ｋがカウンタ回転とされる。このため、クリーニング装置２７Ｋの回転ブラシ２０３Ｋの回転数がクリーニング装置２７Ｙ，２７Ｍ，２７Ｃそれぞれの回転ブラシ２０３Ｙ．２０３Ｍ．２０Ｃの回転数よりも小さくなり、かつ、クリーニング装置２７Ｋと感光体ドラム２３Ｋとの周速差がクリーニング装置２７Ｙ，２７Ｍ，２７Ｃと感光体ドラム２３Ｙ，２３Ｍ，２３Ｃそれぞれとの周速差よりも大きくなる。そのため、クリーニング装置２７Ｋの研磨効率をクリーニング装置２７Ｙ，２７Ｍ，２７Ｃよりも大きくすることができる。
【００７２】
なお、本実施の形態においては、感光体ドラム２３Ｙ，２３Ｍ，２３Ｃ，２３Ｋのうち定着ローラー３２に最も近い感光体ドラム２３Ｙの温度が最も高くなる例を示したが、感光体ドラム２３Ｙ，２３Ｍ，２３Ｃのうちのいずれかの温度が感光体ドラム２３Ｋよりも温度が高くなる場合は、感光体ドラム２３Ｙ，２３Ｍ，２３Ｃのうち温度が最も高くなる像担持体が特定担持体とされる。
【００７３】
図９は、温度ごとにノイズが発生しない周速差の下限値を示す図である。図９は、温度および周速差を異ならせて、感光体ドラム２３Ｙに付着する付着物を検出する実験の結果を示し、付着物の面積率が所定値以下となる周速差と温度とをプロットした図である。周速差温度が１０°Ｃにおいては周速差２８０ｍｍ／ｓが下限値であり、温度が２０°Ｃにおいては周速差４００ｍｍ／ｓが下限値であり、温度が３０°Ｃにおいては周速差５１０ｍｍ／ｓが下限値であった。
【００７４】
したがって、クリーニング装置２７Ｋの回転ブラシ２０３Ｋの回転数を下限値に設定することにより、回転ブラシ２０３Ｋで削り取る潤滑剤の量を適量にすることができる。
【００７５】
図１０は、画像形成制御処理の流れの一例を示すフローチャートである。画像形成制御処理は、ＭＦＰ１００が備えるＣＰＵ１１１が、ＲＯＭ１１３、ＨＤＤ１１５またはＣＤ−ＲＯＭ１１８Ａに記憶された清掃プログラムを実行することにより、ＣＰＵ１１１により実行される処理である。図１０を参照して、ＣＰＵ１１１は、温度センサー１１９により測定された温度を取得し（ステップＳ０１）、処理をステップＳ０２に進める。ステップＳ０２においては、画像が形成されたか否かが判断される。画像が形成されたならば（ステップＳ０２でＹＥＳ）、処理はステップＳ０３に進むが、そうでなければ処理はステップＳ０１に戻る。ステップＳ０３においては、周速差が決定される。図９に示したグラフに基づき、温度に対する周速差の下限値が求まるので、その下限値とされる周速差を決定する。次のステップＳ０４においては、周速差に対する回転ブラシ２０３Ｋの回転数が設定され、処理はステップＳ０５に進む。ステップＳ０５においては、画像形成が開始され、処理はステップＳ０１に戻る。
【００７６】
回転ブラシ２０３Ｋの回転数を、温度に対して定まる周速差の下限値に設定するので、回転ブラシ２０３Ｋの回転数を、固形潤滑剤２０７Ｋから削り取られる量をできるだけ少なくして、感光体ドラム２３Ｋに潤滑材が過剰に塗布されないようにできる。また、感光体ドラム２３Ｋに塗布される潤滑材の量が適量になるので、トナーまたはトナーの外添剤が凝集しにくくなるとともに、感光体ドラム２３Ｙに凝集して付着した付着物を除去することができる。また、固形潤滑剤２０７Ｋの消費を抑えることができる。
【００７７】
＜第１の変形例＞
第１の変形例におけるＭＦＰ１００は、クリーニング装置２７Ｙ，２７Ｍ，２７Ｃ，２７Ｋにおいて、それぞれの回転ブラシ２０３Ｙ，２０３Ｍ，２０３Ｃ，２０３Ｋをウィズ回転にし、画像形成ユニット２０Ｙ，２０Ｍ，２０Ｃ，２０Ｋの駆動時間を制御する。具体的には、第１の変形例におけるＭＦＰ１００は、定着ローラー３２に最も近い画像形成ユニット２０Ｋを画像形成時以外の非稼働期間に駆動させ、他の画像形成ユニット２０Ｙ，２０Ｍ，２０Ｃを画像形成時以外の非稼働期間に駆動させない。画像形成時以外の非稼働期間は、複数枚の用紙に連続して画像を形成する場合の用紙間の時間である。
【００７８】
画像形成ユニット２０Ｋの駆動時間を長くすることにより、回転ブラシ２０３Ｙが感光体ドラム２３Ｙを清掃する時間が長くなるので、清掃能力を向上させることができる。
【００７９】
図１１は、画像形成ユニットの駆動時間を示す図である。図１１（Ａ）は、画像形成ユニット２０Ｙ，２０Ｍ，２０Ｃの駆動時間を示し、図１１（Ｂ）は画像形成ユニット２０Ｋの駆動時間を示す。画像形成ユニット２０Ｙ，２０Ｍ，２０Ｃは、画像形成時のみ駆動しているのに対して、画像形成ユニット２０Ｋは画像形成時以外の非稼働期間に駆動する。画像形成ユニット２０Ｋは画像形成時以外の非稼働期間に感光体ドラム２３Ｋを回転ブラシ２０３Ｋで研磨するので、感光体ドラム２３Ｋに付着した付着物を画像形成時以外の非稼働期間でも除去することができる。
【００８０】
回転ブラシ２０３Ｋの回転数は、周速差が図９に示した下限値となるように設定するのが好ましい。これにより、回転ブラシ２０３Ｋの回転数を、固形潤滑剤２０７Ｋから削り取られる量をできるだけ少なくして、感光体ドラム２３Ｋに潤滑材が過剰に塗布されないようにして、トナーまたはトナーの外添剤が凝集しにくくなるとともに、感光体ドラム２３Ｙに凝集して付着した付着物を除去することができる。また、固形潤滑剤２０７Ｋの消費を抑えることができる。
【００８１】
なお、画像形成時以外の時間帯において、周速差が下限値以上であれば回転ブラシ２０３Ｋをカウンタ回転として感光体ドラム２３Ｋの回転数を小さくしてもよい。クリーニング装置２７Ｋにおいて、固形潤滑剤２０７Ｋの消費を抑えるために、回転ブラシ２０３Ｋの回転数を他のクリーニング装置２７Ｙ，２７Ｍ，２７Ｃよりも小さくするのが好ましい。
【００８２】
なお、画像形成時以外の時間帯は、１以上の用紙に画像を形成する１つのジョブと、次のジョブとの間の期間であってもよい。画像形成ユニット２０Ｋを駆動源である電源およびモータの特性によりＯＮとＯＦＦの制御に所定の時間が必要となるために、ジョブ間で切り換えることにより用紙間で切り換えるよりも制御が容易となる。また、画像形成ユニット２０Ｋを駆動させるための切換に時間が必要となる場合には用紙間ごとに切り換えることによりジョブの実行時間が長くなる。この場合には、用紙間で切り換えるのではなくジョブ間で切り換えることにジョブの実行時間が長くなるのを防止することができる。
【００８３】
＜第２の変形例＞
第２の変形例におけるＭＦＰ１００は、クリーニング装置２７Ｋの回転ブラシ２０３Ｋの感光体ドラム２３Ｋへの押圧力を、他のクリーニング装置２７Ｙ，２７Ｍ，２７Ｃの押圧力より大きくする。具体的には、第２の変形例におけるＭＦＰ１００は、クリーニング装置２７Ｋの回転ブラシ２０３Ｋの感光体ドラム２３Ｋの食込み量を、クリーニング装置２７Ｙ，２７Ｍ，２７Ｃよりも大きくする。
【００８４】
図１２は、食い込み量と押圧力との関係を示す図である。図１２は、食い込み量と押圧力とを実験により測定した結果を示す。食い込み量は、回転ブラシ２０３Ｋのブラシの長さからブラシの根本と感光体ドラム２３Ｋの表面との最短距離との差である。押圧力は、回転ブラシ２０３Ｋのブラシが感光体ドラム２３Ｋを押圧する力であり、ブラシから感光体への力をロードセルで測定した値である。食い込み量が増加することにより押圧力が上がることが示される。
【００８５】
図１３は、食い込み量とブラシの擦過力との関係を示す図である。図１３は、食い込み量とブラシの擦過力とを実験により測定した結果を示す。擦過力はブラシの回転方向の力を微少荷重ロードセルで測定した値である。押圧力が上がると、ブラシの擦過力が高くなる。
【００８６】
第２の変形例におけるＭＦＰ１００は、クリーニング装置２７Ｋの食込み量をクリーニング装置２７Ｙ，２７Ｍ，２７Ｃの食い込み量よりも大きくするので、クリーニング装置２７Ｋにおける擦過力を大きくなる。そのため、クリーニング装置２７Ｋの研磨効率をクリーニング装置２７Ｙ，２７Ｍ，２７Ｃよりも大きくすることができる。
【００８７】
第２の変形例におけるＭＦＰ１００は、クリーニング装置２７Ｋをカウンタ回転としクリーニング装置２７Ｙ，２７Ｍ，２７Ｃをウィズ回転としてもよいし、クリーニング装置２７Ｙ，２７Ｍ，２７Ｃ，２７Ｋすべてをウィズ回転としてもよい。
【００８８】
＜第３の変形例＞
第３の変形例におけるＭＦＰ１００は、クリーニング装置２７Ｋの回転ブラシ２０３Ｋのブラシを直毛形状の直毛ブラシとし、他のクリーニング装置２７Ｙ，２７Ｍ，２７Ｃの回転ブラシ２０３Ｙ，２０３Ｍ，２０３Ｃをループ形状のループブラシにする。ループブラシは、複数のブラシごとに、そのブラシを二つ折りにして両端が回転軸に固定され、ブラシの両端と反対側でループが形成される。直毛ブラシは、複数のブラシごとに一端が回転軸に固定され、他端が自由端となる。
【００８９】
図１４は、直毛ブラシおよびループブラシごとの研磨効果を示す図である。図１４は、直毛ブラシおよびループブラシごと研磨時間と残外添剤を計測した結果を示している。いずれの研磨時間においても、ループブラシの方が直毛ブラシよりも残外添剤が多い。このため、直毛ブラシの方がループブラシよりも研磨効果が大きいことが示される。そのため、クリーニング装置２７Ｋの研磨効率をクリーニング装置２７Ｙ，２７Ｍ，２７Ｃよりも大きくすることができる。
【００９０】
第３の変形例におけるＭＦＰ１００は、クリーニング装置２７Ｋをカウンタ回転としクリーニング装置２７Ｙ，２７Ｍ，２７Ｃをウィズ回転としてもよいし、クリーニング装置２７Ｙ，２７Ｍ，２７Ｃ，２７Ｋすべてをウィズ回転としてもよい。
【００９１】
＜第４の変形例＞
第４の変形例におけるＭＦＰ１００は、画像形成ユニット２０Ｋにおいて、感光体ドラム２３Ｋのクリーニング装置２７Ｋの回転方向上流にプレクリーニング装置を設ける。プレクリーニング装置は、回転ブラシ２０３Ｋと同様の構成とすればよい。これにより、感光体ドラム２３Ｋが研磨される面積が増加するので、画像形成ユニット２０Ｃ，２０Ｍ，２０Ｙよりも研磨効率が向上する。そのため、クリーニング装置２７Ｋの研磨効率をクリーニング装置２７Ｙ，２７Ｍ，２７Ｃよりも大きくすることができる。
【００９２】
第４の変形例におけるＭＦＰ１００は、クリーニング装置２７Ｋをカウンタ回転としクリーニング装置２７Ｙ，２７Ｍ，２７Ｃをウィズ回転としてもよいし、クリーニング装置２７Ｙ，２７Ｍ，２７Ｃ，２７Ｋすべてをウィズ回転としてもよい。
【００９３】
＜第５の変形例＞
第５の変形例におけるＭＦＰ１００は、画像形成ユニット２０Ｋにおいて、現像装置２４Ｙに収容されるトナーは、外添剤としてシリカを、現像装置２４Ｙ，２４Ｍ，２４Ｃに収容されるトナーよりも多く含む。シリカは、研磨剤であり、トナー母体粒子に対して、０．７質量部〜３．０質量部が含まれるのが好ましい。０．７質量部未満だと十分な研磨効果が得られず、３．０質量部より多いとキャリアへの研磨が加速しすぎてコート層が早期に摩耗するため、耐久に伴いトナーの帯電性が低下する。トナーの帯電性が低下すると、背景部かぶりが悪化する。
【００９４】
図１５は、シリカを増加する前後の研磨効果の一例を示す図である。図１５を参照して、シリカを３．０質量部含むトナーと、比較例としてシリカを０．５質量部含むトナーとで、ノイズの面積率を計測した実験結果が示される。シリカを３．０質量部含むトナーは比較例のトナーに比較してノイズの面積率が低いのが判る。そのため、クリーニング装置２７Ｋの研磨効率をクリーニング装置２７Ｙ，２７Ｍ，２７Ｃよりも大きくすることができる。
【００９５】
第５の変形例におけるＭＦＰ１００は、クリーニング装置２７Ｋをカウンタ回転としクリーニング装置２７Ｙ，２７Ｍ，２７Ｃをウィズ回転としてもよいし、クリーニング装置２７Ｙ，２７Ｍ，２７Ｃ，２７Ｋすべてをウィズ回転としてもよい。
【００９６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９７】
１００  ＭＦＰ、２０Ｙ，２０Ｍ，２０Ｃ，２０Ｋ  画像形成ユニット、２１Ｙ  露光装置、２２Ｙ  帯電ローラー、２３Ｙ  感光体ドラム、２４Ｙ  現像装置、２５Ｙ  １次転写ローラー、２６  ２次転写ローラー、２７Ｙ  クリーニング装置、３０  中間転写ベルト、３１  タイミングローラー、３２  定着ローラー、３８  搬送経路、３９  反転搬送経路、１１１  ＣＰＵ、１１９  温度センサー、１２０  自動原稿搬送装置、１３０  原稿読取部、１４０  画像形成部、１５０  給紙部、１６０  操作パネル、２０１Ｙ  クリーニングブレード、２０３Ｙ  回転ブラシ、２０５Ｙ  ブレード、２０７Ｙ  固形潤滑剤、２０９Ｙ  回収板。
【図１】
2020154126.tif 000003
【図２】
2020154126.tif 000004
【図３】
2020154126.tif 000005
【図４】
2020154126.tif 000006
【図５】
2020154126.tif 000007
【図６】
2020154126.tif 000008
【図７】
2020154126.tif 000009
【図８】
2020154126.tif 000010
【図９】
2020154126.tif 000011
【図１０】
2020154126.tif 000012
【図１１】
2020154126.tif 000013
【図１２】
2020154126.tif 000014
【図１３】
2020154126.tif 000015
【図１４】
2020154126.tif 000016
【図１５】
2020154126.tif 000017